Podtech/llm-jp-corpus-v4-ja_patent huggingface dataset:
【手続補正書】
【提出日】平成17年3月4日(2005.3.4)
【手続補正１】
【補正対象書類名】明細書
【補正対象項目名】特許請求の範囲
【補正方法】変更
【補正の内容】
【特許請求の範囲】
【請求項１】
支持体上に電子供与性呈色性化合物と電子受容性化合物を用い、加熱温度及び加熱後の冷却速度の少なくとも何れかの違いにより相対的に発色した状態を形成しうる可逆性感熱組成物を含有する可逆性感熱記録層を有する可逆性感熱記録媒体において、該可逆性感熱記録層中に下記式（１）の化合物を用いることを特徴とする可逆性感熱記録媒体。
【化１】
2003260872.tif 000001
（Ｒは置換基を有してもよい炭素数８以上の炭化水素基を表す、ｎは１から１２の整数を表す）
【請求項２】
Ｒが鎖状炭化水素基であることを特徴とする請求項１記載の可逆性感熱記録媒体。
【請求項３】
可逆性感熱記録媒体が、熱可逆性記録部と情報記憶部とを有することを特徴とする請求項１又は２記載の可逆性感熱記録媒体。
【請求項４】
情報記憶部が、磁気記録層またはＩＣであることを特徴とする請求項３記載の可逆性感熱記録材料。
【請求項５】
可逆性感熱記録媒体が、カード状またはシート状に加工されていることを特徴とする請求項１、２、３又は４記載の可逆性感熱記録媒体。
【請求項６】
可逆性感熱記録媒体が、ロール状になって用いられることを特徴とする請求項１、２、３又は４記載の可逆性感熱記録媒体。
【請求項７】
可逆性感熱記録媒体が、印刷部分を有することを特徴とする請求項１、２、３、４、５又は６記載の可逆性感熱記録媒体。
【請求項８】
発色開始温度よりも低い温度に加熱して消色することを特徴とする請求項１、２、３、４、５、６又は７記載の可逆性感熱記録媒体の消去装置。
【請求項９】
消去装置の加熱部分がサーマルヘッド、セラミックヒータ、面状ローラ、ヒートローラから選ばれるヒータであることを特徴とする請求項８記載の消去装置。
【手続補正２】
【補正対象書類名】明細書
【補正対象項目名】０００９
【補正方法】変更
【補正の内容】
【０００９】
【課題を解決する手段】本発明の請求項１記載の発明は、支持体上に電子供与性呈色性化合物と電子受容性化合物を用い、加熱温度及び加熱後の冷却速度の少なくとも何れかの違いにより相対的に発色した状態を形成しうる可逆性感熱組成物を含有する可逆性感熱記録層を有する可逆性感熱記録媒体において、該可逆性感熱記録層中に下記式（１）の化合物を用いることを最も主要な特徴とする。
【化２】
2003260872.tif 000002
（Ｒは置換基を有してもよい炭素数８以上の炭化水素基を表す、ｎは１から１２の整数を表す）
【手続補正３】
【補正対象書類名】明細書
【補正対象項目名】００１０
【補正方法】変更
【補正の内容】
【００１０】
即ち、本発明者らが可逆性感熱記録媒体の高速消去性に関して種々の検討を行ったところ、上記式（１）の化合物を用いることにより、記録媒体の高速消去性が向上することがわかった。
【手続補正４】
【補正対象書類名】明細書
【補正対象項目名】００１１
【補正方法】変更
【補正の内容】
【００１１】
詳細な理由は定かではないが、発色状態を形成するロイコ染料および顕色剤と本発明の上記式（１）で示される化合物からなる凝集構造中において、これらの化合物は末端の３つの長鎖アルキル基末端が平面的に広がった構造となるため、発色状態において顕色剤とロイコ染料が構成する発色構造を崩しやすいと考えられる。また、比較的低温の領域では中央のイソシアヌル環の凝集力により凝集構造が安定し、発色画像の濃度や耐熱保存性が高いレベルで維持されていると考えられる。
【手続補正５】
【補正対象書類名】明細書
【補正対象項目名】００１６
【補正方法】変更
【補正の内容】
【００１６】
以下に本発明で用いられる上記式（１）で示される化合物の具体例を表２に挙げる。しかしながら、本発明はこれらに限られるわけではない。
【手続補正６】
【補正対象書類名】明細書
【補正対象項目名】００２１
【補正方法】変更
【補正の内容】
【００２１】
本発明の可逆性感熱記録媒体はロイコ染料、顕色剤および上記式（１）で示される化合物は樹脂とともに記録層を形成する。このとき用いられる樹脂は支持体上にこれらの材料を結着できれば良く、従来公知の樹脂が広く用いられる。なかでも、繰り返し時の耐久性を向上させるため、熱や紫外線、電子線などによって硬化可能な樹脂が好ましく用いられ、とくにイソシアネート化合物などを架橋剤として用いた熱硬化型の樹脂がとくに好ましく用いられる。
【手続補正７】
【補正対象書類名】明細書
【補正対象項目名】００２５
【補正方法】変更
【補正の内容】
【００２５】
即ち、前記式（１）の化合物を用いた本発明の可逆性感熱記録媒体を有する熱可逆性記録部と情報記録部の両方を設けることにより、情報記憶部に記憶された情報を熱可逆性記録部に表示することで、特別な装置がなくても情報を確認することができ、利便性が向上する。
【手続補正８】
【補正対象書類名】明細書
【補正対象項目名】００３４
【補正方法】変更
【補正の内容】
【００３４】
（実施例１）
［記録層の作成］
１）２−アニリノ−３−メチル−６−ジブチルアミノフルオラン ２部
２）下記の構造の顕色剤                       １０部
【化３】
2003260872.tif 000003
３）下記の構造の化合物 ４部
【化４】
2003260872.tif 000004
４）アクリルポリオール樹脂の１５％テトラヒドロフラン（ＴＨＦ）溶液 １７０部
【手続補正９】
【補正対象書類名】明細書
【補正対象項目名】００３９
【補正方法】変更
【補正の内容】
【００３９】
（実施例２）実施例１の化合物を下記の構造の化合物に代えた以外は実施例１と同様にして可逆性感熱記録媒体を作成した。
【手続補正１０】
【補正対象書類名】明細書
【補正対象項目名】００４１
【補正方法】変更
【補正の内容】
【００４１】
（比較例１）実施例１中の化合物を除いた以外は実施例１と同様にして可逆性感熱記録媒体を作製した。
【手続補正１１】
【補正対象書類名】明細書
【補正対象項目名】００４２
【補正方法】変更
【補正の内容】
【００４２】
（比較例２）実施例１中の化合物を下記の化合物に変えた以外は実施例１と同様にして可逆性感熱記録媒体を作製した。
【化６】
2003260872.tif 000005
【手続補正書】
【提出日】平成16年5月10日(2004.5.10)
【手続補正１】
【補正対象書類名】明細書
【補正対象項目名】０００９
【補正方法】変更
【補正の内容】
【０００９】
このようなシェーディングは、露光量を局所的に変えることによって、補正することはできる。
しかしながら、二次元配列光源を用いた画像記録においては、シェーディングを補正するためには、各画素毎に露光量を制御する必要があり、しかも、光量を各画素毎に調整することは、実質的に不可能である。そのためシェーディング補正のための露光量制御を、パルス変調によって行わざるを得ず、非常に高速な変調が要求されるため、実現は困難である。
また、露光量制御によるシェーディングの補正は、基本的に、光量が最低の画素に全画素の光量を合わせる補正で、必ず露光光を無駄にしてしまう結果になり、光源により多くの出力性能が要求され、コストアップにもつながる。
【手続補正２】
【補正対象書類名】明細書
【補正対象項目名】００７６
【補正方法】変更
【補正の内容】
【００７６】
ここで、主走査方向と光偏向器１６の偏向方向とが成す角度をθ、光偏向器１６の偏向速度をＶｇとすると、
「Ｖｘ’＝Ｖｇ＊ｓｉｎθ」および「Ｖｙ’＝Ｖｇ＊ｃｏｓθ」
従って、
ｔａｎθ＝（Ｖｘ’／Ｖｙ’）
＝［Ｖｘ−（ΔＸ／Ｔ）］／［Ｖｙ−（ΔＹ／Ｔ）］
＝（Ｖｘ＊Ｔ−ΔＸ）／（Ｖｙ＊Ｔ−ΔＹ）
となる。すなわち、これを満たすように、光偏向器１６の角度、主走査速度（ドラム２２の回転速度）、副走査速度等を設定すれば、１コマの記録において、目的とする主副両成分を含むコマＦのシフトを行うことができる。
【手続補正３】
【補正対象書類名】明細書
【補正対象項目名】００７７
【補正方法】変更
【補正の内容】
【００７７】
ここで、前述のように、コマＦのシフトの方向は、主／副走査方向に対して順方向であっても、逆方向であってもよい。従って、ΔＸおよびΔＹは、正／負の何れも取り得るものであり、すなわち、コマＦのシフトの方向に応じて、
ｔａｎθ＝（Ｖｘ＊Ｔ±ΔＸ）／（Ｖｙ＊Ｔ±ΔＹ）
を満たすように、光変更器１６の角度等を設定すればよい。
【手続補正書】
【提出日】平成16年5月12日(2004.5.12)
【手続補正１】
【補正対象書類名】明細書
【補正対象項目名】００４６
【補正方法】変更
【補正の内容】
【００４６】
（２）白紙光沢
ＪＩＳ  Ｚ８７４１の方法に準じて測定した、白紙部分の２０度鏡面光沢度を白紙光沢とした。白紙光沢が１５％以上であれば、銀塩写真の光沢感を有している。
【手続補正書】
【提出日】平成16年3月2日(2004.3.2)
【手続補正１】
【補正対象書類名】明細書
【補正対象項目名】特許請求の範囲
【補正方法】変更
【補正の内容】
【特許請求の範囲】
【請求項１】
ホスト装置に搭載されたプリンタドライバと、前記プリンタドライバから印刷コマンドを受けて印刷を行うプリンタとを備えた印刷システムにおいて、
前記プリンタドライバは、
ベクタグラフィックス形式の印刷コマンドを出力する第１の動作モードと、
ラスタイメージ形式の印刷コマンドを出力する第２の動作モードとを備え、
ユーザのモード選択に従って、前記第１の動作モードまたは前記第２の動作モードのいずれか一つを選択することにより、前記プリンタに送る印刷コマンドを生成する印刷システム。
【請求項２】
前記第１の動作モードは、ユーザの選択に従って、各色８ビットデプスで処理される第１の印刷コマンド、または各色８ビットデプスより小さいビットデプスで処理される第２の印刷コマンドのいずれか一つを出力する請求項１に記載の印刷システム。
【請求項３】
前記プリンタは、高速な描画が可能な高速描画デバイスと、高品質な描画が可能な高品質描画デバイスとを有し、
前記第１の動作モードにより出力される前記第１の印刷コマンドは、前記高品質描画デバイスで処理され、
前記第１の動作モードにより出力される前記第２の印刷コマンドは、前記高速描画デバイスで処理され、
前記第２の動作モードにより出力される前記ラスタイメージ形式の印刷コマンドは、前記高品質描画デバイスにより処理される請求項２に記載の印刷システム。
【請求項４】
ホスト装置に搭載されたプリンタドライバと、前記プリンタドライバから印刷コマンドを受けて印刷を行うプリンタとを用いた印刷方法において、
ベクタグラフィックス形式の印刷コマンドを出力する第１の動作モードと、
ラスタイメージ形式の印刷コマンドを出力する第２の動作モードとを備え、
ユーザのモード選択に従って、前記第１の動作モードまたは前記第２の動作モードのいずれか一つを選択するステップと、
前記選択された動作モードに基づいて印刷コマンドを生成し、前記プリンタに送信するステップと、
を含んだ印刷方法。
【請求項５】
前記第１の動作モードは、ユーザの選択に従って、各色８ビットデプスで処理される第１の印刷コマンド、または各色８ビットデプスより小さいビットデプスで処理される第２の印刷コマンドのいずれか一つを出力する請求項４に記載の印刷方法。
【請求項６】
前記プリンタは、高速な描画が可能な高速描画デバイスと、高品質な描画が可能な高品質描画デバイスとを有し、
前記第１の動作モードにより出力される前記第１の印刷コマンドは、前記高速描画デバイスで処理され、
前記第１の動作モードにより出力される前記第２の印刷コマンドは、前記高速描画デバイスで処理され、
前記第２の動作モードにより出力される前記ラスタイメージ形式の印刷コマンドは、前記高品質描画デバイスにより処理される請求項５に記載の印刷方法。
【請求項７】
ベクタグラフィックス形式の印刷コマンドを出力する第１の動作モードと、
ラスタイメージ形式の印刷コマンドを出力する第２の動作モードとを備え、
ユーザのモード選択に従って、前記第１の動作モードまたは前記第２の動作モードのいずれか一つを選択することにより、プリンタに送る印刷コマンドを生成するものとして、コンピュータを機能させるための機械読取り可能なコンピュータプログラムを担持した記録媒体。
【請求項８】
前記第１の動作モードは、ユーザの選択に従って、各色８ビットデプスで処理される第１の印刷コマンド、または各色８ビットデプスより小さいビットデプスで処理される第２の印刷コマンドのいずれか一つを出力する請求項７に記載の記録媒体。
【手続補正書】
【提出日】平成17年2月7日(2005.2.7)
【手続補正１】
【補正対象書類名】明細書
【補正対象項目名】特許請求の範囲
【補正方法】変更
【補正の内容】
【特許請求の範囲】
【請求項１】
抽選条件が成立すると当たり外れの抽選を行い、該抽選結果を変動表示後に確定表示される図柄で表示する遊技機において、
該遊技機の前面に配される枠体に施されている前面のデザインと調和した画像を、前記抽選条件が未成立時に表示されるアイドル画像、前記変動表示の過程にてリーチとなった際に表示されるリーチ画像或いは前記当たりを示す図柄が確定表示されたとほぼ同時に又は該確定表示の後に表示される大当たり画像として表示し、
遊技盤の装飾画も前記前面のデザインと調和させてあり、
ゲーム状態に応じて位置又は形状を変化させる可動部を、遊技領域を除く遊技機の前面部分に設けた
ことを特徴とする遊技機。
【請求項２】
請求項１記載の遊技機において、
該遊技機は、抽選条件が成立すると当たり外れの抽選を行い、該抽選結果を変動表示後に確定表示される図柄で表示する遊技機であり、
前記可動部は前記当たりを示す図柄が確定表示される際又は該確定表示に先立って位置又は形状を変化させる
ことを特徴とする遊技機。
【手続補正２】
【補正対象書類名】明細書
【補正対象項目名】０００４
【補正方法】変更
【補正の内容】
【０００４】
【課題を解決するための手段および発明の効果】
請求項１記載の遊技機は、抽選条件が成立すると当たり外れの抽選を行い、該抽選結果を変動表示後に確定表示される図柄で表示する遊技機において、該遊技機の前面に配される枠体に施されている前面のデザインと調和した画像を、前記抽選条件が未成立時に表示されるアイドル画像、前記変動表示の過程にてリーチとなった際に表示されるリーチ画像或いは前記当たりを示す図柄が確定表示されたとほぼ同時に又は該確定表示の後に表示される大当たり画像として表示し、遊技盤の装飾画も前記前面のデザインと調和させてあり、ゲーム状態に応じて位置又は形状を変化させる可動部を、遊技領域を除く遊技機の前面部分に設けたことを特徴とする。
遊技機の前面に配される枠体に施されている前面のデザインと調和した画像を、アイドル画像、リーチ画像或いは大当たり画像として表示するので、遊技機の前面のデザインと画像表示とが調和し、遊技者に見える部分全体として一体感が出る。
【手続補正３】
【補正対象書類名】明細書
【補正対象項目名】０００６
【補正方法】変更
【補正の内容】
【０００６】
なお、請求項記載の遊技機では、前面のデザインは、該遊技機の前面に配される枠体（例えば前面枠、ガラス保持枠）に施されているが、デザイン用の部品等を遊技機の前面に配される枠体に取り付けて、そのデザイン用部品により、又はデザイン用部品を含めた枠体により遊技機の前面のデザインを構成することができる。
【手続補正４】
【補正対象書類名】明細書
【補正対象項目名】０００７
【補正方法】変更
【補正の内容】
【０００７】
また、請求項１記載の遊技機では、遊技盤の装飾画も前記遊技機の前面のデザインと調和させたので、遊技機の前面で遊技者に見える部分全体としての一体感が向上する。
しかも、ゲーム状態に応じて位置又は形状を変化させる可動部を、遊技領域を除く遊技機の前面部分に設けたので、遊技機の前面で遊技者に見える部分とゲーム状態との一体感が出る。また、可動部の位置又は形状を変化によりゲーム状態を報知することもできる。
【手続補正５】
【補正対象書類名】明細書
【補正対象項目名】０００８
【補正方法】変更
【補正の内容】
【０００８】
請求項２記載の遊技機は、請求項１記載の遊技機において、該遊技機は、抽選条件が成立すると当たり外れの抽選を行い、該抽選結果を変動表示後に確定表示される図柄で表示する遊技機であり、前記可動部は前記当たりを示す図柄が確定表示される際又は該確定表示に先立って位置又は形状を変化させるので、可動部の位置又は形状変化にて、当たりを示す図柄の確定表示を予告したり、その確定表示に伴う遊技者の感激を高めることができる。また、可動部の位置又は形状変化を他の遊技者が見れば、当たりを示す図柄の確定表示すなわち大当たりしたことが分かるから、遊技者同士の競争意識を煽ることもできる。
【手続補正６】
【補正対象書類名】明細書
【補正対象項目名】００２９
【補正方法】削除
【補正の内容】
【手続補正７】
【補正対象書類名】明細書
【補正対象項目名】００３０
【補正方法】削除
【補正の内容】
【手続補正８】
【補正対象書類名】明細書
【補正対象項目名】００３１
【補正方法】削除
【補正の内容】
【手続補正９】
【補正対象書類名】明細書
【補正対象項目名】００３２
【補正方法】削除
【補正の内容】
【手続補正１０】
【補正対象書類名】明細書
【補正対象項目名】００３３
【補正方法】削除
【補正の内容】
【手続補正１１】
【補正対象書類名】明細書
【補正対象項目名】００３４
【補正方法】削除
【補正の内容】
【手続補正１２】
【補正対象書類名】明細書
【補正対象項目名】００３５
【補正方法】削除
【補正の内容】
【手続補正１３】
【補正対象書類名】明細書
【補正対象項目名】００３６
【補正方法】削除
【補正の内容】
【手続補正１４】
【補正対象書類名】明細書
【補正対象項目名】００３７
【補正方法】削除
【補正の内容】
【手続補正１５】
【補正対象書類名】明細書
【補正対象項目名】００３８
【補正方法】削除
【補正の内容】
【手続補正１６】
【補正対象書類名】明細書
【補正対象項目名】００３９
【補正方法】変更
【補正の内容】
【００３９】
以上、実施例に従って、本発明の実施の形態について説明したが、本発明はこれらの例に限定されるものではなく、本発明の要旨を逸脱しない範囲でさまざまに実施できることは言うまでもない。
【手続補正１７】
【補正対象書類名】明細書
【補正対象項目名】図面の簡単な説明
【補正方法】変更
【補正の内容】
【図面の簡単な説明】
【図１】  実施例１のパチンコ遊技機の斜視図。
【図２】  実施例１のパチンコ遊技機におけるアイドル画像の説明図。
【図３】  実施例１のパチンコ遊技機における大当たり予告の説明図。
【符号の説明】
１０ パチンコ遊技機（遊技機）
１２ 前面枠（遊技機の前面に配される枠体）
１３ 遊技盤
１４ 遊技領域
２０ デザイン構造体
２１ 可動部
２２ 固定部
【手続補正１８】
【補正対象書類名】図面
【補正対象項目名】図４
【補正方法】削除
【補正の内容】
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
識別情報を変動表示可能な可変表示装置と、
遊技媒体の挙動に起因して抽選を行い、その結果に基づいて所定ラウンド数の特賞状態からなる特別遊技状態を導出するか否かを判定する判定手段と、
前記判定手段にて前記特別遊技状態を導出することが判定された場合に、通常モードに移行するのか、又は、前記通常モードよりも価値の高い特別モードに移行するのかを決定するモード決定手段とを備えた遊技機であって、
通常モード時においては、
前記モード決定手段により通常モードに移行することが決定された場合には、前記可変表示装置において前記識別情報を第１の特定の態様で確定表示し、前記特別遊技状態を導出し、その後通常モードに移行するように構成され、
前記モード決定手段により特別モードに移行することが決定された場合には、前記可変表示装置において前記識別情報を第２の特定の態様で確定表示し、前記特別遊技状態を導出し、その後特別モードに移行するように構成され、
特別モード時においては、
前記モード決定手段により特別モードに移行することが決定された場合には、前記可変表示装置において前記識別情報を前記第２の特定の態様にて確定表示することをひかえて、前記第１又は第２の特定の態様とは別の態様で確定表示して、前記特別遊技状態がためられるように構成され、
前記モード決定手段により通常モードに移行することが決定された場合には、前記可変表示装置において前記識別情報を前記第１の特定の態様で確定表示し、前記特別遊技状態を導出し、その後通常モードに移行するように構成され、
当該通常モード移行後においては、
前記ためられた特別遊技状態を導出可能とするとともに、当該導出を前記特別遊技状態単位で行うようにし、
前記ためられた特別遊技状態を導出する過程において、前記特別遊技状態の導出が行われていない期間に、前記識別情報の変動表示を行うようにし、
前記ためられた各特別遊技状態を導出する際には、それぞれ前記識別情報を前記第１の特定の態様又は前記第２の特定の態様にて確定表示するようにしたことを特徴とする遊技機。
【請求項２】
前記ためられた特別遊技状態が先の特別遊技状態の導出終了から所定回数目の変動表示の際に導出されるようにしたことを特徴とする請求項１に記載の遊技機。
【請求項３】
前記ためられた特別遊技状態が先の特別遊技状態の導出終了から何回目の変動表示の際に導出されるかその変動回数をランダムに設定する回数設定手段を備えたことを特徴とする請求項１に記載の遊技機。
【請求項４】
前記変動回数に上限を設けたことを特徴とする請求項３に記載の遊技機。
【請求項５】
前記ためられた特別遊技状態を導出する際には、当該導出が行われる回の前記抽選によって得られた抽選結果と前記特別遊技状態を導出する旨の抽選結果と差替える差替え処理を行うことを特徴とする請求項１乃至４のいずれかに記載の遊技機。
【手続補正書】
【提出日】平成17年2月2日(2005.2.2)
【手続補正１】
【補正対象書類名】明細書
【補正対象項目名】特許請求の範囲
【補正方法】変更
【補正の内容】
【特許請求の範囲】
【請求項１】
化学処理液と不活性ガスを接触させ、化学処理液中の水分を不活性ガス中に蒸発させることを特徴とする化学処理液の濃縮方法。
【請求項２】
化学処理液を、循環手段により化学処理液貯槽と蒸発器の間で循環させ、当該蒸発器において化学処理液と不活性ガスを接触させることを特徴とする請求項第１項記載の化学処理液の濃縮方法。
【請求項３】
化学処理液と減圧ガスを接触させ、化学処理液中の水分を減圧ガス中に蒸発させることを特徴とする化学処理液の濃縮方法。
【請求項４】
化学処理液を、循環手段により化学処理液貯槽と蒸発器の間で循環させ、当該蒸発器において化学処理液と減圧ガスを接触させることを特徴とする請求項第３項記載の化学処理液の濃縮方法。
【請求項５】
化学処理液が、化学めっき前の触媒付与液である請求項第１項ないし第４項の何れかの項記載の化学処理液の濃縮方法。
【請求項６】
化学処理液が、パラジウム、コバルト、タングステン、白金、鉄、ニッケル、銅または銀から選ばれる金属成分と、硫酸、酢酸または塩酸から選ばれる酸成分とを含有する触媒付与液である請求項第５項記載の化学処理液の濃縮方法。
【請求項７】
化学処理槽と供給および戻り配管により連通される化学処理液貯槽と、当該化学処理液貯槽と循環手段を介して連通され、不活性ガスを流通可能とした蒸発器および当該蒸発器からの不活性ガスを流通可能とした気液分離手段を有する化学処理液の濃縮装置。
【請求項８】
化学処理槽と供給および戻り配管により連通される化学処理液貯槽と、当該化学処理液貯槽と循環手段を介して連通され、減圧ガスを流通可能とした蒸発器および当該蒸発器からの減圧ガスを流通可能とした気液分離手段を有する化学処理液の濃縮装置。
【手続補正書】
【提出日】平成16年9月9日(2004.9.9)
【手続補正１】
【補正対象書類名】明細書
【補正対象項目名】特許請求の範囲
【補正方法】変更
【補正の内容】
【特許請求の範囲】
【請求項１】
所定の駆動信号を入力することにより機能を発する機能性素子群が、基板上に機能性材料を含有する溶液の液滴を噴射付与し、該溶液中の揮発成分を揮発させ、固形分を前記基板上に残留させることによって形成される機能性素子基板の製造装置であって、前記基板に相対する位置に配され、該基板に対して機能性材料を含有した溶液を噴射する噴射ヘッドと、該噴射ヘッドに液滴付与情報を入力する情報入力手段とを有し、前記基板における前記機能性素子群の形成面と前記噴射ヘッドの溶液噴射口面とが一定の距離を保持し、前記基板と前記噴射ヘッドとが前記機能性素子群の形成面に対して平行に相対移動を行うように構成され、前記噴射ヘッドは、前記情報入力手段により入力された前記液滴付与情報に基づいて前記基板の所望の位置に前記溶液を噴射することにより前記機能性素子群を形成する製造装置において、前記噴射ヘッドに供給される前記溶液は前記噴射ヘッドとは独立に設けられた容器に貯留され、該容器と前記噴射ヘッドとは可撓性の供給路を介して連結されるとともに、前記容器より下流側に少なくとも２種類のフィルターを設け、最下流に設けたフィルターはステンレスメッシュよりなるとともに着脱不可に固定し、それより上流側に設けたフィルターを着脱可能としたことを特徴とする機能性素子基板の製造装置。
【請求項２】
前記最下流に設けたフィルターは、前記噴射ヘッド内に設けるとともにそれより上流側に設けたフィルターより、フィルターメッシュサイズが大であることを特徴とする請求項１記載の機能性素子基板の製造装置。
【請求項３】
前記最下流に設けたフィルターは、前記噴射ヘッド内に設けるとともにそれより上流側に設けたフィルターより、フィルタートラップ容量が小であることを特徴とする請求項１又は２のいずれか１に記載の機能性素子基板の製造装置。
【請求項４】
前記上流側に設けたフィルターは、カートリッジ化されたユニットであることを特徴とする請求項１乃至３のいずれか１に記載の機能性素子基板の製造装置。
【請求項５】
請求項１乃至請求項４のいずれかの機能性素子基板の製造装置によって形成されることを特徴とする機能性素子基板。
【請求項６】
請求項５の機能性素子基板と、この機能性素子基板に対向して配置されたカバープレートとを有することを特徴とする画像表示装置。
【手続補正２】
【補正対象書類名】明細書
【補正対象項目名】０００９
【補正方法】変更
【補正の内容】
【０００９】
【課題を解決するための手段】
本発明は、前記目的を達成するために、
第１に、所定の駆動信号を入力することにより機能を発する機能性素子群が、基板上に機能性材料を含有する溶液の液滴を噴射付与し、該溶液中の揮発成分を揮発させ、固形分を前記基板上に残留させることによって形成される機能性素子基板の製造装置であって、前記基板に相対する位置に配され、該基板に対して機能性材料を含有した溶液を噴射する噴射ヘッドと、該噴射ヘッドに液滴付与情報を入力する情報入力手段とを有し、前記基板における前記機能性素子群の形成面と前記噴射ヘッドの溶液噴射口面とが一定の距離を保持し、前記基板と前記噴射ヘッドとが前記機能性素子群の形成面に対して平行に相対移動を行うように構成され、前記噴射ヘッドは、前記情報入力手段により入力された前記液滴付与情報に基づいて前記基板の所望の位置に前記溶液を噴射することにより前記機能性素子群を形成する製造装置において、前記噴射ヘッドに供給される前記溶液は前記噴射ヘッドとは独立に設けられた容器に貯留され、該容器と前記噴射ヘッドとは可撓性の供給路を介して連結されるとともに、前記容器より下流側に少なくとも２種類のフィルターを設け、最下流に設けたフィルターはステンレスメッシュよりなるとともに着脱不可に固定し、それより上流側に設けたフィルターを着脱可能とした。
【手続補正３】
【補正対象書類名】明細書
【補正対象項目名】００７９
【補正方法】変更
【補正の内容】
【００７９】
【発明の効果】
請求項１に対応した効果
所定の駆動信号を入力することにより機能を発する機能性素子群が、基板上に機能性材料を含有する溶液の液滴を噴射付与し、該溶液中の揮発成分を揮発させ、固形分を前記基板上に残留させることによって形成される機能性素子基板の製造装置であって、前記基板に相対する位置に配され、該基板に対して機能性材料を含有した溶液を噴射する噴射ヘッドと、該噴射ヘッドに液滴付与情報を入力する情報入力手段とを有し、前記基板における前記機能性素子群の形成面と前記噴射ヘッドの溶液噴射口面とが一定の距離を保持し、前記基板と前記噴射ヘッドとが前記機能性素子群の形成面に対して平行に相対移動を行うように構成され、前記噴射ヘッドは、前記情報入力手段により入力された前記液滴付与情報に基づいて前記基板の所望の位置に前記溶液を噴射することにより前記機能性素子群を形成する製造装置において、前記噴射ヘッドに供給される前記溶液は前記噴射ヘッドとは独立に設けられた容器に貯留され、該容器と前記噴射ヘッドとは可撓性の供給路を介して連結されるとともに、前記容器より下流側に少なくとも２種類のフィルターを設け、最下流に設けたフィルターはステンレスメッシュよりなるとともに着脱不可に固定し、それより上流側に設けたフィルターを着脱可能としたので、このような製造装置が噴射ヘッドの目詰まりがなく安定した稼動ができるようになった。特に最下流のフィルターの着脱交換を行うと、着脱交換時に混入した異物がそれより下流の噴射ヘッドのノズル部分に流れていって目詰まりを引き起こすが、本発明においては最下流のフィルターの着脱交換を行わないので、そのようなことは皆無となる。
【手続補正書】
【提出日】平成17年6月10日(2005.6.10)
【手続補正１】
【補正対象書類名】明細書
【補正対象項目名】特許請求の範囲
【補正方法】変更
【補正の内容】
【特許請求の範囲】
【請求項１】
２つ以上の羽根の回転速度をそれぞれ独立して制御することができ、前記２つ以上の羽根が同一軸線上に配置されるとともに、それらの羽根の内１つが、材料送り手段を構成し、前記２つ以上の羽根の他の１つが、材料混合手段を構成することを特徴とする混合装置。
【請求項２】
混合される材料を内部に投入するための材料投入口を材料送り方向の上流側の端部に有すると共に、混合された材料を外部へ排出するための材料排出口を材料送り方向の下流側の端部に有する筒状のジャケットと、
材料投入口から投入された材料を材料排出口の方へ送るべく前記ジャケットに収容されており、周囲に第１の羽根を有して回転駆動される第１の主軸を備える材料送り手段と、
材料送り手段によって送り込まれる材料を混合すべく材料送り手段の下流側で前記ジャケットに収容されており、第１の主軸と同一軸線上に配置されると共に周囲に第２の羽根を有して回転駆動される第２の主軸を備える材料混合手段とを含んでおり、
前記材料の所望の混合状態を得るために、前記第１の主軸の回転速度と前記第２の主軸の回転速度とが互いに独立して制御可能であるように構成されていることを特徴とする混合装置。
【請求項３】
前記第１の主軸および前記第２の主軸の対向する端部が、一定の間隔をあけて位置していることを特徴とする、請求項２に記載の混合装置。
【請求項４】
前記第１の主軸および前記第２の主軸が、前記ジャケットの端部に夫々片持ちで支持されていることを特徴とする、請求項２または３に記載の混合装置。
【請求項５】
前記材料投入口から下流側に、ジャケットの上部に設けた少なくとも１つの追加の材料投入口をさらに含み、混合すべき材料が、前記材料投入口および前記追加の材料投入口を介して段階的に投入可能であることを特徴とする、請求項２から４のいずれか一項に記載の混合装置。
【請求項６】
前記追加の材料投入口の少なくとも１つが、材料混合手段を収容する部分の前記ジャケット上部に位置することを特徴とする、請求項５に記載の混合装置。
【請求項７】
前記第１の羽根が、前記第１の主軸の周囲において、一端から他端にらせん状に連続して延びる単一のスクリューであることを特徴とする、請求項２から６のいずれか一項に記載の混合装置。
【請求項８】
前記第２の羽根が、前記第２の主軸の周囲において、一定の間隔でらせん状に配置された、複数の板状部材または／および円柱状部材であることを特徴とする、請求項２から７のいずれか一項に記載の混合装置。
【請求項９】
前記第２の主軸が、前記第２の主軸の中心軸線を横切る垂直面に対して一定の角度をなして設けられた複数の板状部材を有する、第２の主軸の上流側部分と、前記第２の主軸の径方向に真っ直ぐに設けられた複数の円柱状部材を有する、第２の主軸の下流側部分とを備えることを特徴とする、請求項８に記載の混合装置。
【請求項１０】
前記第２の主軸が二重軸構造を有し、前記第２の羽根が前記第２の主軸に対して着脱可能に取り付けられることを特徴とする、請求項２から９のいずれか一項に記載の混合装置。
【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
処理水の通路となる内部路（２）と、中空糸膜を固定するための樹脂注入部（１３）と、中空糸膜が貫通するスリット部（１０）を有する壁（１１）とからなるハウジングを有し、該ハウジングの少なくとも一端にエンドキャップが液密に接合され、該エンドキャップに、該樹脂注入部（１３）に向かって突出し、かつ該樹脂注入部（１３）の内壁との間隔が２ｍｍ以下である凸部（１４）が設けられてなる中空糸膜モジュール。
【請求項２】
前記凸部（１４）のハウジング長手方向における長さが０．５ｍｍ以上５ｍｍ以下である請求項１に記載の中空糸膜モジュール。
【請求項３】
前記エンドキャップが、前記内部路（２）に挿入される小蓋部（１６）と、ハウジングの端面に接する大蓋部（１７）と、ハウジングの長手方向に直交する断面の断面積が小蓋部（１６）よりも小さくされた連結部（１８）とを有し、前記凸部（１４）が該大蓋部（１７）に配されてなる請求項１又は２に記載の中空糸膜モジュール。
【請求項４】
前記小蓋部（１６）の上部に、前記スリット部（１０）に挿入される突起部（２３）が設けられてなる請求項３に記載の中空糸膜モジュール。
【請求項５】
前記突起部（２３）がハウジング長手方向に前記大蓋部（１７）に向かって広がるテーパー形状を有する請求項４に記載の中空糸膜モジュール。
【請求項６】
固定部材（９）が、前記連結部（１８）と前記ハウジングの内周壁との間に形成された樹脂注入空間と、前記樹脂注入部（１３）とに充填されてなる請求項３〜５いずれか一項に記載の中空糸膜モジュール。
【手続補正書】
【提出日】平成17年2月23日(2005.2.23)
【手続補正１】
【補正対象書類名】明細書
【補正対象項目名】特許請求の範囲
【補正方法】変更
【補正の内容】
【特許請求の範囲】
【請求項１】
複数種の識別情報を可変表示可能な可変表示手段と、
前記可変表示手段を表示制御可能な第１特定制御手段とを備え、
前記第１特定制御手段が、所定領域に所定態様で停止表示する又は停止表示可能となる識別情報を各種抽選手段の抽選結果に基づき決定し、当該識別情報を前記可変表示手段に停止表示可能にするよう構成され、
少なくとも識別情報が前記所定領域に所定態様で停止表示された場合に、遊技者に遊技価値を付与可能な遊技価値付与手段を備えた遊技機において、
前記第１特定制御手段が、前記少なくとも識別情報が所定領域に所定態様で停止表示された場合に、遊技価値付与に関する制御信号を前記遊技価値付与手段へ出力し、当該遊技価値付与手段に遊技価値付与を実行させるように構成され、
さらに前記可変表示手段の表示制御に関連して複数種の表示対象を可変表示可能な少なくとも１つの対象表示手段と、
前記対象表示手段を表示制御可能な第２特定制御手段とを備え、
前記第２特定制御手段が、前記対象表示手段において表示する表示対象を抽選し、当該表示対象を前記対象表示手段に表示可能にするよう構成され、
前記第２特定制御手段は、前記表示対象が特定態様で表示された場合に、遊技価値付与に関する制御信号を前記遊技価値付与手段へ出力して、当該遊技価値付与手段に遊技価値付与を実行させるようにしたことを特徴とする遊技機。
【請求項２】
複数種の識別情報を可変表示可能な可変表示手段と、
前記可変表示手段を表示制御可能な第１特定制御手段とを備え、
前記第１特定制御手段が、所定領域に所定態様で停止表示する又は停止表示可能となる識別情報を各種抽選手段の抽選結果に基づき決定し、当該識別情報を前記可変表示手段に停止表示可能にするよう構成され、
少なくとも識別情報が前記所定領域に所定態様で停止表示された場合に、遊技者に遊技価値を付与可能な遊技価値付与手段を備えた遊技機において、
前記第１特定制御手段が、前記少なくとも識別情報が所定領域に所定態様で停止表示された場合に、遊技価値付与に関する制御信号を前記遊技価値付与手段へ出力して、当該遊技価値付与手段に遊技価値付与を実行させるように構成され、
さらに前記可変表示手段の表示制御に関連して複数種の表示対象を可変表示可能な少なくとも１つの対象表示手段と、
前記対象表示手段を表示制御可能な第２特定制御手段とを備え、
前記第２特定制御手段が、前記対象表示手段において表示する表示対象を抽選し、当該表示対象を前記対象表示手段に表示可能にするよう構成され、
前記第２特定制御手段は、前記表示対象が特定態様で表示された場合に、その旨を所定の制御信号として前記第１特定制御手段へ出力し、
前記第１特定制御手段は、前記所定の制御信号を入力した場合には、遊技価値付与に関する制御信号を前記遊技価値付与手段へ出力して、当該遊技価値付与手段に遊技価値付与を実行させるようにしたことを特徴とする遊技機。
【請求項３】
複数種の識別情報を可変表示可能な可変表示手段と、
前記可変表示手段を表示制御可能な第１特定制御手段とを備え、
前記第１特定制御手段が、所定領域に所定態様で停止表示する又は停止表示可能となる識別情報を各種抽選手段の抽選結果に基づき決定し、当該識別情報を前記可変表示手段に停止表示可能にするよう構成され、
少なくとも識別情報が前記所定領域に所定態様で停止表示された場合に、遊技者に遊技価値を付与可能な遊技価値付与手段を備えた遊技機において、
前記第１特定制御手段が、前記少なくとも識別情報が所定領域に所定態様で停止表示された場合に、遊技価値付与に関する制御信号を前記遊技価値付与手段へ出力して、当該遊技価値付与手段に遊技価値付与を実行させるように構成され、
さらに前記可変表示手段の表示制御に関連して複数種の表示対象を可変表示可能な少なくとも１つの対象表示手段と、
前記対象表示手段を表示制御可能な第２特定制御手段とを備え、
前記第２特定制御手段が、前記対象表示手段において表示する表示対象を抽選し、当該表示対象を前記対象表示手段に表示可能にするよう構成され、
前記対象表示手段における表示対象の表示態様を判定する判定手段を備え、
前記判定手段は、前記表示対象が特定態様で表示されている旨を判定した場合には、遊技価値付与に関する制御信号を前記遊技価値付与手段へ出力して、当該遊技価値付与手段に遊技価値付与を実行させるようにしたことを特徴とする遊技機。
【請求項４】
前記第２特定制御手段は、複数種の表示対象を記憶する表示対象記憶手段と、
所定条件の成立に基づき前記対象表示手段に表示する表示対象を抽選する表示対象抽選手段とを備え、
当該抽選結果に基づき、前記対象表示手段に表示対象を表示可能とするようにしたことを特徴とする請求項１乃至３のいずれかに記載の遊技機。
【請求項５】
前記可変表示手段は、複数の回転体が併設されたものであって、
前記各回転体には、その外周面の周方向において前記複数種の識別情報が順次付され、
前記各回転体の内周側において、それぞれ前記対象表示手段が配置され、
前記各回転体の周面の一部に、遊技者が前記表示対象を視認可能な少なくとも１つの視認領域が設けられていることを特徴とする請求項１乃至４のいずれかに記載の遊技機。
【手続補正書】
【提出日】平成16年10月21日(2004.10.21)
【手続補正１】
【補正対象書類名】明細書
【補正対象項目名】請求項１
【補正方法】変更
【補正の内容】
【請求項１】
正面側に開口する筐体と、
筐体の開口部を開閉自在に塞ぐ前扉と、
筐体の開口部内に水平方向に設けられた中板と、
複数の図柄が表示された回転リールを回転可能に軸着した複数の駆動モータが支持体に固定されてなるリールユニットとを少なくとも有するスロットマシンにおいて、
前記前扉は、
前記回転リールの図柄を視認可能な図柄表示窓と、所定の表示を表示可能な表示部とを有する窓パネルユニットと、
前記リールユニットの正面側に設けられ、前記表示部に所定の表示を行わせるための表示ユニットとを備え、
前記窓パネルユニットは、前記前扉に着脱自在に形成されているとともに、
前記表示ユニットは、前記リールユニットの、回転リールの複数の図柄の正面を避ける位置に固定されており、
前記リールユニットは、前記中板の上に固定されて使用され、
かつ、前記リールユニットは、前記筐体の中板から前記表示ユニットと一体で着脱自在に形成されていることを特徴とする分離型スロットマシン。
【手続補正２】
【補正対象書類名】明細書
【補正対象項目名】０００９
【補正方法】変更
【補正の内容】
【０００９】
（特徴点）
（請求項１）
請求項１記載の発明は、次の点を特徴とする。
すなわち、請求項１記載の発明は、正面側に開口する筐体１と、筐体１の開口部11を開閉自在に塞ぐ前扉３と、筐体の開口部内に水平方向に設けられた中板12と、複数の図柄が表示された回転リール20を回転可能に軸着した複数の駆動モータが支持体に固定されてなるリールユニット２とを少なくとも有するスロットマシンにおいて、前記前扉３は、前記回転リール20の図柄を視認可能な図柄表示窓42と、所定の表示を表示可能な表示部45とを有する窓パネルユニット40と、前記リールユニット２の正面側に設けられ、前記表示部45に所定の表示を行わせるための表示ユニット60とを備え、前記窓パネルユニット40は、前記前扉３に着脱自在に形成されているとともに、前記表示ユニット60は、前記リールユニット２の、回転リール20の複数の図柄の正面を避ける位置に固定されており、前記リールユニット２は、前記中板12の上に固定されて使用され、かつ、前記リールユニット２は、前記筐体１の中板から前記表示ユニット60と一体で着脱自在に形成されていることを特徴とする。
【手続補正３】
【補正対象書類名】明細書
【補正対象項目名】００１０
【補正方法】変更
【補正の内容】
【００１０】
本発明は、分離型スロットマシンとして、リールユニット２及び窓パネルユニット40及び表示ユニット60を最低限交換可能に形成したものである。
前記筐体１は、正面側に開口部11を有する方形の箱であり、内部にリールユニット２が収納可能である。また、筐体１には、二つの側板16の間に水平方向に中板12が設けてあり、前記リールユニット２以外にも、電源装置８や、遊技メダルを貯留し払い出すためのホッパーユニット９等を収納可能である。
【手続補正書】
【提出日】平成16年10月21日(2004.10.21)
【手続補正１】
【補正対象書類名】明細書
【補正対象項目名】請求項１
【補正方法】変更
【補正の内容】
【請求項１】
正面側に開口する筐体と、
筐体の開口部を開閉自在に塞ぐ前扉と、
複数の図柄が表示された回転リールを回転可能に軸着した複数の駆動モータが支持体に固定されてなるリールユニットとを少なくとも有し、
リールユニットを筐体内に収納した状態で前扉が開閉可能なスロットマシンにおいて、
前記前扉は、
前記回転リールの図柄を視認可能な図柄表示窓と、所定の表示を表示可能な表示部とを有する窓パネルユニットと、
前記窓パネルユニットの裏面側に取り付けられ、前記表示部に所定の表示を行わせるための表示ユニットとを少なくとも備え、
前記窓パネルユニットは、前記表示ユニットが取り付けられた状態で表示ユニットと一体で前記前扉に正面側から着脱自在に取り付けられていることを特徴とする分離型スロットマシン。
【手続補正２】
【補正対象書類名】明細書
【補正対象項目名】０００９
【補正方法】変更
【補正の内容】
【０００９】
（特徴点）
（請求項１）
請求項１記載の発明は、次の点を特徴とする。
すなわち、請求項１記載の発明は、正面側に開口する筐体１と、筐体１の開口部11を開閉自在に塞ぐ前扉３と、複数の図柄が表示された回転リール20を回転可能に軸着した複数の駆動モータが支持体に固定されてなるリールユニット２とを少なくとも有し、リールユニットを筐体内に収納した状態で前扉が開閉可能なスロットマシンにおいて、前記前扉３は、前記回転リール20の図柄を視認可能な図柄表示窓42と、所定の表示を表示可能な表示部45とを有する窓パネルユニット40と、前記窓パネルユニット40の裏面側に取り付けられ、前記表示部45に所定の表示を行わせるための表示ユニット60とを少なくとも備え、前記窓パネルユニット40は、前記表示ユニット60が取り付けられた状態で表示ユニットと一体で前記前扉３に正面側から着脱自在に形成されていることを特徴とする。
【手続補正書】
【提出日】平成17年3月3日(2005.3.3)
【手続補正１】
【補正対象書類名】明細書
【補正対象項目名】特許請求の範囲
【補正方法】変更
【補正の内容】
【特許請求の範囲】
【請求項１】
遊技機内部に取り付けられ遊技機の電子制御を司る制御装置を収納するケースと、
前記ケースに貼り付けられた第１貼付部材と、
前記ケースと前記第１貼付部材の両方に跨って貼り付けられ、前記第１貼付部材が前記ケースから剥離されたときに前記第１貼付部材とともに前記ケースから剥離され、剥離前と剥離後とで外観が変化する第２貼付部材と
を備えた遊技機。
【請求項２】
前記第１貼付部材は、面の一部を切り抜いた形状の切り抜き箇所を備え、前記第２貼付部材は前記ケースのうち前記切り抜き箇所から露出している露出部分と前記第１貼付部材のうち前記切り抜き箇所の周辺部分とに跨って貼り付けられている、請求項１に記載の遊技機。
【請求項３】
前記第２貼付部材は、前記第１貼付部材の切り抜き箇所を被覆した状態で貼付している、請求項２に記載の遊技機。
【手続補正書】
【提出日】平成17年3月2日(2005.3.2)
【手続補正１】
【補正対象書類名】明細書
【補正対象項目名】特許請求の範囲
【補正方法】変更
【補正の内容】
【特許請求の範囲】
【請求項１】
Ｘ線を被検者に照射するＸ線照射手段と、前記被検者を挟み該Ｘ線照射手段と対向配置したＸ線検出手段と、前記被検者を配置する開口部を設け、少なくとも前記Ｘ線照射手段とＸ線検出手段を搭載して前記被検者の周りを回転させる回転部材と、この回転部材を回転駆動させる回転駆動手段と、前記回転部材を回転自在に支持するハウジングと前記回転駆動手段を支持するフレームとを有し、前記Ｘ線検出手段で検出した被検者の透過Ｘ線情報を処理して該被検者の断層画像を得るＸ線ＣＴ装置において、前記回転駆動手段は、前記回転部材に複数の導体を設けてこれらの導体を接続して成る回転子と、該回転子を挟み対峙する位置に配置した少なくとも１組の固定子鉄心と固定子巻線とから成り前記ハウジングに固定された固定子と、前記固定子巻線に回転磁界を発生させるための交流電流を供給する回転磁界発生用電源とを有し、前記発生した回転磁界により前記回転子を回転させて前記回転部材を回転させるように構成したことを特徴とするＸ線ＣＴ装置。
【請求項２】
前記回転子に取付けた冷却フィンと，該フィンからの冷却風をＸ線ＣＴ装置外へ案内するダクトカバーと，該ダクトカバーに取付けた冷却用ファンと，前記固定子の温度を検出する温度センサと，該温度センサの温度情報により前記ファンを制御する制御装置とを備えたことを特徴とする請求項１または５に記載のＸ線ＣＴ装置。
【手続補正２】
【補正対象書類名】明細書
【補正対象項目名】００１１
【補正方法】変更
【補正の内容】
【００１１】
【課題を解決するための手段】
上記目的は、以下の手段によって達成される。
（１）Ｘ線を被検者に照射するＸ線照射手段と、前記被検者を挟み該Ｘ線照射手段と対向配置したＸ線検出手段と、前記被検者を配置する開口部を設け、少なくとも前記Ｘ線照射手段とＸ線検出手段を搭載して前記被検者の周りを回転させる回転部材と、この回転部材を回転駆動させる回転駆動手段と、前記回転部材を回転自在に支持するハウジングと前記回転駆動手段を支持するフレームとを有し、前記Ｘ線検出手段で検出した被検者の透過Ｘ線情報を処理して該被検者の断層画像を得るＸ線ＣＴ装置において、前記回転駆動手段は、前記回転部材に複数の導体を設けてこれらの導体を接続して成る回転子と、該回転子を挟み対峙する位置に配置した少なくとも１組の固定子鉄心と固定子巻線とから成り前記ハウジングに固定された固定子と、前記固定子巻線に回転磁界を発生させるための交流電流を供給する回転磁界発生用電源とを有し、前記発生した回転磁界により前記回転子を回転させて前記回転部材を回転させるように構成される。
【手続補正３】
【補正対象書類名】明細書
【補正対象項目名】００１２
【補正方法】変更
【補正の内容】
【００１２】
（２）前記回転子に取付けた冷却フィンと，該フィンからの冷却風をＸ線ＣＴ装置外へ案内するダクトカバーと、該ダクトカバーに取付けた冷却用ファンと，前記固定子の温度を検出する温度センサと、該温度センサの温度情報により前記ファンを制御する制御装置とを備えて、前記固定子を冷却する。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】削除
【補正の内容】
【手続補正１０】
【補正対象書類名】明細書
【補正対象項目名】００１９
【補正方法】削除
【補正の内容】
【手続補正１１】
【補正対象書類名】明細書
【補正対象項目名】００２０
【補正方法】削除
【補正の内容】
【手続補正書】
【提出日】平成16年10月5日(2004.10.5)
【手続補正１】
【補正対象書類名】明細書
【補正対象項目名】特許請求の範囲
【補正方法】変更
【補正の内容】
【特許請求の範囲】
【請求項１】
被検体に超音波を送受波する複数の振動子素子を２次元配列してなる超音波探触子と、送受波に用いる前記振動子素子を選択する振動子素子選択手段と、選択された前記振動子素子により受信された受波信号に遅延時間を与え信号処理する信号処理部と、前記信号処理部の出力信号に基づいて画像を生成する画像処理部と、前記画像を表示させる画像表示部とを備えた超音波診断装置において、
前記画像処理部は、
前記振動子素子選択手段により選択された第１の振動子配列で超音波ビームを走査して得られた第１の超音波像と、前記振動子素子選択手段により前記第１の振動子配列の方向に交差するように選択された第２の振動子配列で超音波ビームを走査して得られた第２の超音波像とを記憶する記憶手段と、
前記第１の超音波像と前記第２の超音波像を合成する画像演算手段と
を備えることを特徴とする超音波診断装置。
【請求項２】
前記画像演算手段は、前記第１の超音波像及び前記第２の超音波像の超音波ビームが交差する位置の断層像情報から該合成画像を生成することを特徴とする請求項１記載の超音波診断装置。
【請求項３】
前記第１の超音波像は、前記第１の振動子配列の口径を前記超音波探触子上で２次元方向に移動して得られること、前記第２の超音波像は、前記第２の振動子配列の口径を前記第１の受波信号の移動経路に対応させ、移動して得られることを特徴とする請求項１記載の超音波診断装置。
【請求項４】
前記第１の振動子配列或いは前記第２の振動子配列は、超音波ビームの中心位置をずれた位置に形成するスパースアレーであることを特徴とする請求項１記載の超音波診断装置。
【手続補正２】
【補正対象書類名】明細書
【補正対象項目名】００１７
【補正方法】変更
【補正の内容】
【００１７】
（１）被検体に超音波を送受波する複数の振動子素子を２次元配列してなる超音波探触子と、送受波に用いる前記振動子素子を選択する振動子素子選択手段と、選択された前記振動子素子により受信された受波信号に遅延時間を与え信号処理する信号処理部と、前記信号処理部の出力信号に基づいて画像を生成する画像処理部と、前記画像を表示させる画像表示部とを備えた超音波診断装置において、前記画像処理部は、前記振動子素子選択手段により選択された第１の振動子配列で超音波ビームを走査して得られた第１の超音波像と、前記振動子素子選択手段により前記第１の振動子配列の方向に交差するように選択された第２の振動子配列で超音波ビームを走査して得られた第２の超音波像とを記憶する記憶手段と、前記第１の超音波像と前記第２の超音波像を合成する画像演算手段とを備える。
【手続補正３】
【補正対象書類名】明細書
【補正対象項目名】００１８
【補正方法】変更
【補正の内容】
【００１８】
（２）前述した（１）に記載の超音波診断装置において、前記画像演算手段は、前記第１の超音波像及び前記第２の超音波像の超音波ビームが交差する位置の断層像情報から該合成画像を生成する。
【手続補正４】
【補正対象書類名】明細書
【補正対象項目名】００１９
【補正方法】変更
【補正の内容】
【００１９】
（３）前述した（１）に記載の超音波診断装置において、前記第１の超音波像は、前記第１の振動子配列の口径を前記超音波探触子上で２次元方向に移動して得られること、前記第２の超音波像は、前記第２の振動子配列の口径を前記第１の受波信号の移動経路に対応させ、移動して得られる。
【手続補正５】
【補正対象書類名】明細書
【補正対象項目名】００２０
【補正方法】変更
【補正の内容】
【００２０】
（４）前述した（１）に記載の超音波診断装置において、前記第１の振動子配列或いは前記第２の振動子配列は、超音波ビームの中心位置をずれた位置に形成するスパースアレーである。
【手続補正６】
【補正対象書類名】明細書
【補正対象項目名】００２１
【補正方法】削除
【補正の内容】
【手続補正７】
【補正対象書類名】明細書
【補正対象項目名】００２２
【補正方法】変更
【補正の内容】
【００２２】
前述した手段によれば、第１の振動子配列で超音波ビームを走査して得られた第１の超音波像と、第１の振動子配列の方向に交差するように選択された第２の振動子配列で超音波ビームを走査して得られる第２の超音波像とを記憶手段に記憶し、画像演算手段が記憶手段に記憶された第１の超音波像と第２の超音波像を合成するので、装置規模を増大させることなく、第１の超音波像と第２の超音波像とを合成した超音波像を得ることができる。
【手続補正８】
【補正対象書類名】明細書
【補正対象項目名】００２３
【補正方法】変更
【補正の内容】
【００２３】
ここで、第１の超音波像と、第２の超音波像との交差する位置での断層像情報とに基づいて、画像演算手段が合成画像を生成することによって、超音波像の画質を向上させることができる。
【手続補正９】
【補正対象書類名】明細書
【補正対象項目名】００２４
【補正方法】変更
【補正の内容】
【００２４】
第１の振動子配列の口径を超音波探触子上で２次元方向に移動して第１の超音波像を得ると共に、第２の振動子配列の口径を第１の受波信号の移動経路に対応させ移動して第２の超音波像を得ることにより、超音波探触子を移動させることなく２次元方向の複数枚の第１及び第２の超音波像を収集することができる。
さらには、第１の振動子配列或いは第２の振動子配列が、超音波ビームの中心位置をずれた位置に形成するスパースアレーへの適用も可能である。